(57)【要約】【目的】  本の発注者が選択した写真と発注者が創作した文章に従った、例えば発注者の記念となるような本を手軽にかつ簡単に提供することを目的とする。【構成】  予めいくつかの製本パターンに従った製本レイアウト例を作成し、予め発行した固有の識別番号と写真表示位置を表記したシールと写真と共に表記される文章を自ら創作して書き込む文章書き込み領域を備える固有の識別番号が表記された注文用紙とを販売し、購買者がレイアウト例に従って本の各頁の写真を手許の写真の中から選択し、前記表示位置に対応するシールを選択写真の背面などに貼着し、写真と共に表記される文章を自ら創作して注文用紙に書き込み、写真と共に製本者に送る。製本者は写真と注文用紙の記載に従ってレイアウトに従ってそれぞれの頁に割り当て、レイアウトに対応した各頁を作成し、製本して返送する。【選択図】        図４
2005284866.tif 000002
【特許請求の範囲】
【請求項１】
予め固有の識別番号を割り当てる番号割当手段と、
前記番号割当手段で割り当てられた識別番号を表記した製本時の文章表示位置を併記した原稿記載用紙を兼ねる注文用紙を制作する注文用紙制作手段と、
前記識別番号と製本時の画像表示位置を併記した画像特定シールを制作するシール制作手段と、
前記識別番号の表記された画像特定シールの貼着された画像用紙を入力して製本時の画像表示位置に割り当てる画像割当手段と、
前記注文用紙制作手段で制作された前記注文用紙に記載された原稿記載内容を製本時の文章表示位置に従って割り当てる文章割当手段と、
前記画像割当手段と前記文章割当手段で割り当てた割り当て結果を印刷出力する印刷出力手段とを備え、
前記印刷出力手段で印刷出力した印刷結果を製本して前記識別番号に固有の本を制作可能とすることを特徴とする製本システム。
【請求項２】
更に、前記番号割当手段が割り当てた前記識別番号を表記した本のレイアウト例を表示するレイアウト例用紙制作手段を備え、
前記画像特定シールと前記注文用紙と共に前記レイアウト例用紙と同封して容易に画像選択と原稿作成を可能とすることを特徴とする請求項１記載の製本システム。
【請求項３】
前記識別番号に対応して本制作原稿を記憶する版下記憶手段を備えることにより、増刷に識別番号の指定のみで対応可能とすることを特徴とする請求項１または請求項２記載の製本システム。
【請求項４】
予め固有の識別番号を割り当てる番号割当手段を備える製本システムにおける製本方法であって、
前記番号割当手段で割り当てられた固有の識別番号の表記された本のレイアウト例を表示するレイアウト用紙と、前記固有の識別番号の表記され前記レイアウト用紙の文章表示位置に対応した文書を記入可能な文章記入欄の記載された文章書き込み用紙と、前記固有の識別番号と共に前記レイアウト用紙の画像表示位置が表記された画像表示位置にはめ込む画像表示媒体に貼着可能なシールとを制作し、
制作した各用紙及びシールをセットで本の制作希望者に配布し、
制作希望者が前記レイアウト例をみて前記文章書き込み用紙に文章を記入して画像裏面に前記シールを貼着した選択した画像媒体と共に返送し、
返送された前記文章書き込み用紙の記載内容を識別便号と関連付けて入力すると共に、前記シールに表記された識別番号及び画像表示位置に対応付けた画像媒体の画像を入力し、製本のための版下を製作し、版下に従って印刷出力し製本することを特徴とする製本方法。
【発明の詳細な説明】
【技術分野】
【０００１】
本発明は、個人本製作用の注文システム及び個人本製作方法に関するものである。
【背景技術】
【０００２】
従来、個人又は家族で記念となる本、例えば記念写真本を作ろうとした場合には、専門の写真館、あるいは写真家に依頼して写真を撮ってもらい、撮影された写真の中から好適な写真を選択して定型文などを付けた台紙に貼り付けて写真本として製本したものがほとんどであった。このため、誰でもが手軽に記念本を制作するわけにはいかなかった。
【０００３】
この点、近年のコンピュータ技術、画像処理技術の発達により、コンピュータシステムを利用したアルバム注文装置が登場してきた。従来の画像を用いたアルバム注文装置及び方法としては、アルバム作成依頼者がパーソナル・コンピュータに電子化した被写体像データを入力してアルバムソフトウエアに従い作成されたアルバムの注文ファイルをラボラトリに送信すると、注文ファイルに従い写真集としてのアルバムと電子的なアルバム・データが格納されたＣＤが２枚作成され、写真集１冊とアルバムＣＤの１枚が第一ユーザに渡され、残り１枚のアルバムＣＤは、サーバヘの画像データのアップロード用に用いることが可能に構成されたシステムがあった（例えば、特許文献１参照。）。
【０００４】
また、イベント会場や行楽地に設置され、簡単な方法でオリジナルの絵本を製作するごとのできるオリジナル絵本の製作方法があり、予め物語中の特定の登場人物とその登場人物の名前をブランク部分にした絵本を準備し、ブランク部分をキー入力してもらっていた。絵本に写真をレイアウトする場合には、デジタルカメラにより撮影して、コンピュータにより処理された注文者の人物画像をその絵本のブランクの登場人物の部分にレイアウトしてプリントし、登場人物の名前の部分のみに注文者の名前を挿入することで、世界に一冊しか存在しない絵本を製作していた（例えば、特許文献２参照。）。
【０００５】
また、絵本作家による既存の絵本中の登場人物の名前や文章を子供の名前等に置き換えて製作した絵本を、子供の誕生目等の贈り物として贈ることも知られている（例えば、非特許文献１参照。）。
【０００６】
【特許文献１】特開２００１−３１２５５２号公報
【特許文献２】特開平１１−１２８５５３号公報
【非特許文献１】有限会杜”オフィス  ティ・ワーク”愛と夢の贈り物オリジナル絵本”平成１５年６月１６目、インターネヅト＜URL:http://www.otw.jp/sample/my＿baby.htm＞
【発明の開示】
【発明が解決しようとする課題】
【０００７】
しかしながら、特許文献１に記載のアルバム注文装置及び方法では、アルバム作成依頼者がパーソナル・コンピュータに電子化した被写体像データを記憶させ、アルバムソフトウエアに従い作成したアルバムの注文ファイルをラボラトリに送信する必要があり、パーソナル・コンピュータを所有していない者、あるいは、パーソナル・コンピュータの操作に不慣れな者、例えば主婦や高齢者にとっては、上記操作を行うことは困難であった。
【０００８】
また、特許文献１に記載のアルバム注文装置及び方法では、たとえパーソナル・コンピュータに精通している者がアルバム注文装置を利用して注文したとしても、最終的に仕上がるアルバムは単に写真を分類ごとに整理したものにすぎず、単なる写真ファイルの一つにすぎず、後で印象に残るものとできなかった。
【０００９】
特許文献２に記載のオリジナル絵本の製作方法により作成された絵本では、確かに世界に一冊しか存在しない絵本を安価に製作することが可能であるが、使用される写真も自由に選択できず、不本意の写真であっても、又貼り付け箇所が不本意であってそのまま利用せざるを得なかった。
【００１０】
更に、絵本製作に使用される元となる物語は、子供向けの著名人気キャラクタ絵本を利用しているため、基本的なストーリーや登場キャラクタのせりふが固定概念化されており、名前は依頼者の名前であっても、ストーリーなど実質上は人気キャラクタの物語であり、流行に左右される内容で後々まで保存しておくと、内容が陳腐化してしまう例も多かった。
【００１１】
また、非特許文献１に記載のオリジナル絵本でも、名前が異なるのみで実質上は人気キャラクタの物語であり、流行に左右される内容で後々まで保存しておくと、内容が陳腐化してしまっていた。
【００１２】
また、例えば、子供の出産を記念した絵本とするため、赤ちゃんの名前やメッセージ等を予め設定された絵本に挿入しても、絵本製作に使用される元となる物語は、予め絵本作家によって製作された絵本を使用しているため、登場キャラクタ等が既成概念化されており、子供の記録や追想アルバムとしての実感に著しく欠けていた。
【００１３】
このため、手軽で簡単にかつ安価に、我が子や家族への記録やアルバムとして実感のこもった付加価値の高いオリジナル記念本を制作したいというニーズ、贈り物として贈りたいというニーズに答えることができなかった。
【課題を解決するための手段】
【００１４】
本発明は、上述した課題を解決することを目的としてなされたもので、係る目的を達成する一手段として、例えば以下の構成を備える。
【００１５】
即ち、予め固有の識別番号を割り当てる番号割当手段と、前記番号割当手段で割り当てられた識別番号を表記した製本時の文章表示位置を併記した原稿記載用紙を兼ねる注文用紙を制作する注文用紙制作手段と、前記識別番号と製本時の画像表示位置を併記した画像特定シールを制作するシール制作手段と、前記識別番号の表記された画像特定シールの貼着された画像用紙を入力して製本時の画像表示位置に割り当てる画像割当手段と、前記注文用紙制作手段で制作された前記注文用紙に記載された原稿記載内容を製本時の文章表示位置に従って割り当てる文章割当手段と、前記画像割当手段と前記文章割当手段で割り当てた割り当て結果を印刷出力する印刷出力手段とを備え、前記印刷出力手段で印刷出力した印刷結果を製本して前記識別番号に固有の本を制作可能とすることを特徴とする。
【００１６】
そして例えば、更に、前記番号割当手段が割り当てた前記識別番号を表記した本のレイアウト例を表示するレイアウト例用紙制作手段を備え、前記画像特定シールと前記注文用紙と共に前記レイアウト例用紙と同封して容易に画像選択と原稿作成を可能とすることを特徴とする。
【００１７】
また例えば、前記識別番号に対応して本制作原稿を記憶する版下記憶手段を備えることにより、増刷に識別番号の指定のみで対応可能とすることを特徴とする。
【００１８】
また、予め固有の識別番号を割り当てる番号割当手段を備える製本システムにおける製本方法であって、前記番号割当手段で割り当てられた固有の識別番号の表記された本のレイアウト例を表示するレイアウト用紙と、前記固有の識別番号の表記され前記レイアウト用紙の文章表示位置に対応した文書を記入可能な文章記入欄の記載された文章書き込み用紙と、前記固有の識別番号と共に前記レイアウト用紙の画像表示位置が表記された画像表示位置にはめ込む画像表示媒体に貼着可能なシールとを制作し、制作した各用紙及びシールをセットで本の制作希望者に配布し、制作希望者が前記レイアウト例をみて前記文章書き込み用紙に文章を記入して画像裏面に前記シールを貼着した選択した画像媒体と共に返送し、返送された前記文章書き込み用紙の記載内容を識別便号と関連付けて入力すると共に、前記シールに表記された識別番号及び画像表示位置に対応付けた画像媒体の画像を入力し、製本のための版下を製作し、版下に従って印刷出力し製本する製本方法とすることを特徴とする。
【発明の効果】
【００１９】
本発明によれば、簡単な手続を行うのみで、依頼者が主人公の、依頼者に特有の記念本を作成することができる。更に、記念本で表す写真を依頼者が自由に選択して指定することができ、オリジナリティーにあふれた、個性的な本を製本できる。このため、真に依頼者あるいは依頼者の家族が主人公の、流行に左右されることがない、何時までも依頼者の心に残る記念本（例えば記念絵本）を制作して手に入れることができる。
【００２０】
また、本作成のための素材に対して固有の識別番号で管理するため、依頼者や素材を取り違えるようなことがなく、確実に所望の製本結果を得ることができる。更に、手軽に顧客管理や月毎の注文数の集計及び照合作業をすることができ、注文から原稿の入力、写真製版、印刷及び納品にいたるすべての作業を整理番号で管理することができるので、正確かつ作業効率の良い製本を実現することができる。
【００２１】
また、製本依頼のための注文用紙に、挿入する写真に関連付ける文章を自由に決めて指定可能とすることにより、依頼者が選定した写真に基づいた独自性のあるストーリー展開を反映した記念となる本を容易に注文することが可能となる。
【００２２】
また、注文用紙による発注が可能なため、発注に際してパーソナル・コンピュータを介した電子画像データの作成や注文ファイルの作成作業が不要となり、パーソナル・コンピュータを所有していない者、あるいは、パーソナル・コンピュータの操作に不慣れなものなどでも、簡単に所望の製本依頼が可能となる。
【００２３】
なお、写真も自己の所有する写真の中から自由に選択して指定する事ができ、改めで新たな写真を撮影するなどの面倒な作業が不要となるのみならず、製作過程を楽しみながら容易に製本の依頼をすることができる、
【発明を実施するための最良の形態】
【００２４】
以下、本発明に係る一発明の実施の形態例を図面を参照して詳細に説明する。以下の説明は、絵本を製本する例について行い、本の中で表す写真表示部分を製本依頼者の所有する写真の中から自由に選択して指定すると共に、本の中の指定した箇所に挿入する文章をすべて製本依頼者で作成して指定する絵本形式のオーダーメイド記念本を注文して製本する例について行う。
【００２５】
以下の説明は、子供の小学校（又は幼稚園）への入学（又は入園）記念用の本を製本依頼する場合を例に行うが、本発明は以上の例に限定されるものではなく、あらゆる本の制作に適用できる事は勿論である。
【００２６】
まず図１を参照して本実施の形態例の製本システムの構成を説明する。図１は本発明に係る一発明の実施の形態例の製本業者が備える製本システムの構成を示すブロック図である。
【００２７】
図１において、１０は製本業者の所有する製本システムの各種情報処理を行う制御コンピュータである。２０は制御コンピュータ１０の制御で詳細を後述する注文用紙及びレイアウト参考用紙及び返送用封筒、写真帳着用のシールなどを印刷出力する注文用紙印刷装置である。
【００２８】
３０は顧客より返送されてきた写真などの画像及び原稿である注文用紙を読み込む原稿読取装置、４０は原稿読取装置３０より読み込んだ注文用紙、写真を製本種別に従って顧客の希望する本とするための読み込み画像の表示位置調整や読み取り原稿の内容チェック及び修正、編集を行う編集装置であり、例えば図１では一台のみ表されているが、処理量に応じた台数備えられている。
【００２９】
５０は注文用紙毎に割り当てられる識別番号と関連する情報の管理、送られてきた原稿、写真などの識別番号と関連付けた登録保持、顧客情報の管理などの為の各種情報を記憶するデータベースである。
【００３０】
６０は公衆電話回線網６００と接続するためのインタフェースを司る回線制御部であり、例えばＡＣＵやモデム等により構成される。７０はインターネット網７００とのインタフェースを司るインタフェース制御部であり、例えばターミナルアダプター機能あるいはルータ機能等を備える。
【００３１】
８０は編集装置４０で編集した製本情報を印刷出力する印刷装置、１００は印刷装置８０で印刷した製本用紙を製本する製本装置である。
【００３２】
以上の製本システムを備える製本業者と製本を依頼する顧客との本の完成までの一連制御を以下説明する。図２は、本発明に係る一発明の実施の形態例の絵本製作用の注文用紙の表面の一例を示す図、図３は本発明に係る一発明の実施の形態例の絵本製作用の注文用紙の裏面の一例を示す図、図４は絵本製作用の注文用紙と共に送られてくる絵本レイアウト参考用紙を示す図である。
【００３３】
本実施の形態例においては、図２、図3に示す注文用紙及び図４に示すように絵本形式のレイアウト参考用紙を予め注文用紙印刷装置２０で印刷してそれぞれ固有の識別番号を付与して印刷して注文用紙返送用（注文用）の封筒内に収納し、販売している。
【００３４】
製本を依頼する依頼者（注文者）は、料金を支払ってこの注文用紙類を受け取り、レイアウト参考用紙中の絵の部分にはめ込む写真等の画像（製本時の印刷画像となる写真など）を例えば依頼者の手持ちの写真の中から（あるいは絵の中から）任意のものを選び、例えば背面に詳細を後述するシールを貼着して指定する。
【００３５】
この制御コンピュータ１０の発行する識別番号は、本の種類が識別可能な番号が割り当てている。例えば、入学記念本、結婚記念本、ペット本、誕生記念本、卒業記念本等によりそれぞれ固有の番号を割り当てている。これにより、例えば申込用紙を偽造などしても、識別番号と本の種別の一致不一致で判別することができる。
【００３６】
更に、固有の番号であるため、データベース５０に識別番号毎に頒布方法、頒布対象情報、頒布日時、製本日時、発送先情報を管理することができ、きめ細かなサービスに利用できる。例えば、誕生記念本を制作したユーザに入園記念本制作案内を送付したり、割引クーポンを発行したりする事ができる。
【００３７】
図４には入学式用の絵本制作の場合のレイアウト参考用紙を示したが、本発明は以上の例に限定されるものではなく、誕生記念本、結婚式記念本、愛玩ペット本など種々の種別の本毎にそれぞれのレイアウト用紙が用意されている。そして注文者が所望の注文すべき本の種類を選択することになる。
【００３８】
このように、レイアウトに示される文章部分を製本依頼者から指定（創作）してもらうため、図２及び図３に示す様に注文用紙に印刷されているそれぞれの升目部分を文章で埋めてもらうことになる。
【００３９】
注文用紙は、１枚の例えばＡ４サイズの三折りされた両面用紙で構成されており、表面と裏面に、それぞれ図４に示されたレイアウト参考用紙の各頁に挿入される文章を指定する升目が表されている。
【００４０】
本実施の形態例に係る記念本製作用の注文用紙の表面右側の欄には、図２に示すように、右側の欄に申込方法、申込注意事項、発行者情報が表示されている。裏面右側の欄には図３に示すように当該注文用紙への文章の記入を行うに際しての注意事項、写真に対しての注意事項、その他の注意事項などが記載されている。
【００４１】
また、注文用紙の左側の欄においては、最上段の申込用紙の種類の表示の右側に申込用紙毎に固有の識別番号である問い合わせ番号が印刷されており、この問い合わせ番号により製本情報、製本用画像情報（写真情報を含む）の管理を行うことが可能に構成されている。この問い合わせ番号（識別番号）は、以上の表示位置に限定されるものではなく、いずれの場所に印刷されていても良い。
【００４２】
その下に製本をした後の注文絵本の届け先住所の記入欄、続いて依頼者の氏名連絡先記入欄（連絡先記入欄）、通信欄が設けられている。
【００４３】
その下から具体的な製本のための文章記入欄となり、最初に表紙作成のための情報の記入欄がある。例えば、この本が入学用のものか入園用のものかの指定欄、本の主人公となる、表紙に印刷される例えば入学者名（入園者名）指定欄、本の表紙の色指定欄がある。
【００４４】
続いて第１頁目の文章記入欄となり年月日、例えば入学日、あるいは入園日などの指定欄、タイトルの名前の記入欄、主人公の名前の記入欄が続く。次には第２頁目及び第３頁目の文章記入欄となり、この頁のタイトル、第２頁の写真に対するコメント、第３頁の写真に対するコメントの記入欄が続く。
【００４５】
その下に第４頁目及び第５頁目の文章記入欄となり、この頁のタイトル、第４頁の写真に対するコメント、第５頁の写真に対するコメントの記入欄が表示されている。ここまでが表面である。
【００４６】
同様に図３に示す裏面左欄は、最上段に第６頁目及び第７頁目の文章記入欄となり、この頁のタイトル、第６頁の写真に対するコメント、第７頁の写真に対するコメントの記入欄が続く。
【００４７】
例えば、図４に示すレイアウト参考用紙では、第１頁から第７頁までの写真を入学以前（入園以前）の写真、例えば誕生時、当歳時から入学（入園）前の写真の中で本にしたい写真を選択し、この写真に対するコメントなどを記載する頁としている。
【００４８】
その下の欄は第８頁目及び第９頁目の文章記入欄となり、第８頁は写真がなくすべて文章表示頁であり、以降の頁の為のタイトル（コメント）の記入欄となる。例えば、図４に示すレイアウト参考用紙ではここからが入学式（入園式）の様子を示す内容としている。
【００４９】
注文用紙のレイアウト参考用紙では、入学式の状況として、組分けされたクラス名、担任の先生の名前の記入欄となっている。図３の例では、続いて簡単なコメントの記入欄となっているが、このコメントは第９頁に表示する写真と関連付けたコメントとすることが望ましい。
【００５０】
次に、例えば、第１０頁目及び第１１頁目の文章記入欄となり、第１０頁の写真に対するコメント、第１１頁の写真に対するコメントの記入欄が表示されている。
【００５１】
続いて第１２頁目及び第１３頁目の文章記入欄となり、ここでは、主人公に対する第１２頁に記載される一人目のメッセージの記入欄、第１３頁に記載される主人公に対する二人目のメッセージの記入欄となっている。第１２頁と第１３頁は、写真がなく、メッセージのみを記載するように構成されている。
【００５２】
続いて第１４頁目及び第１５頁目の文章記入欄となり、レイアウト参考用紙では第１４頁は写真のみの表示頁、第１５頁は文章のみの表示頁となっており、主人公の将来の夢などの主人公の決意の記入欄となっている。
【００５３】
最下段に、本の背表紙への記載文書記入欄となっており、例えば本の発行日（本の作成日）、発行場所として、製本依頼者の住所や主人公の住所など任意の従者が指定可能である。
【００５４】
本実施の形態例では、このように注文用紙の升目を単に埋めていくのみで、各正本依頼者の家族などに特有の特徴ある本とすることができる。以上の説明は入学式を例としたが、誕生祝いの本としても、夫婦の記念となる結婚記念品でも、金婚式、銀婚式を祝う本でも、おじいちゃん、おばあちゃんの「記念となる還暦祝いの本誕生日祝いの本など、各個人の記念とするためのあらゆる本造りに適用できる。
【００５５】
又、表示する画像情報も写真に限定されるものではなく、家族の書いた絵出会っても、絵を写した写真であってもよい。更に、主人公も人間に限定されるものではなく、ペットの思い出のための本であっても良い。
【００５６】
また、識別番号表示は、製品種類、顧客、又は、注文を特定する固有の識別情報であって、数字、文字あるいはバーコード等で表すことができ、製本時には読取機にて自動読取可能に表記されている。
【００５７】
この識別番号は、図２の注文用紙のみならず、図４に示すレイアウト参考用紙を示す用紙にも表示（上段）されており、この用紙は返送する必要がないため、手元に置いておくことにより、製本依頼者もこの識別番号をいつでも確認することができる。
【００５８】
本実施の形態例では、文章は以上の注文用紙で指定することが可能であるが、本には他に写真記載することになる。この写真の表示位置等を指定するのに、例えば写真の裏に手書きで指定することとしては、記載ミスがあったり、勘違いで表示位置を間違えるなどの不具合が発生するおそれがある。
【００５９】
そこで本実施の形態例では写真に貼着するシールを予め注文用紙と共に添付している。図５に本実施の形態例の写真貼付用シールを示す。図５は本実施の写真貼付用シールを説明するための図である。
【００６０】
本実施の形態例では、写真貼付用シールとして、本の制作に必要な写真の枚数と同数のシール及び予備のシール２枚が台紙２０に容易に剥離可能な状態で貼着されている。
【００６１】
各シール２２には写真毎にそれぞれの写真が本のどこに記載される写真かが識別可能なように記念本の写真表示位置表示１８と、識別番号１９が予め表示されている。なお、予備シールには識別番号１９のみが表示されており、依頼者で写真表示位置を書き込めるように構成されている。
【００６２】
各シールの裏面には接着剤が塗布されており、台紙２０から剥離したシールを単に写真裏側に押付けるのみで簡単かつ確実にシールを写真に固着することができる。
【００６３】
なお、この台紙２０は、詳細を後述する写真収納袋に入れられた状態で注文用封筒内に収納されている。なお、図４ではシールすべてに識別番号が表示されていたが、他にブランクシールも台紙に貼着して更に先のシール誤使用に備えても良い。
【００６４】
各シールの使用時には、台紙２０よりシールを剥がして写真裏面に貼着すればよい。本実施の形態例では、人間が識別できるように識別番号を活字で表示していると共に、写真への貼着位置がまちまちであっても、容易かつ確実に機械読み取りを行うためにバーコード表示も行われている。
【００６５】
図２及び図５に示す本製作用の注文用紙と写真貼付用シールには、予め同一の識別番号が割り当てられて記載されており、他には同一の識別番号は割り当てられていない。
【００６６】
このため、後日注文用紙と写真が製本センターに送付されてきた場合において、この識別番号で注文用紙の内容及び写真を管理することにより、顧客よる注文から原稿の入力、写真製版、印刷、納品まですべてを管理することが可能であり、他との混同などの無い製本が行える。
【００６７】
シール２２の貼着された台紙２０は、注文時に写真を収納する写真収納袋を兼ねる袋に入れた状態で注文用紙返送用封筒に入れられた状態で販売される。この注文用紙返送用封筒の例を図６に示す。図６は、本実施の形態例の発明に係る注文用紙返送用封筒である申込み用封筒を示す斜視図である。
【００６８】
図６に示す様に、注文用紙返送用封筒５０の表面には、宛て先として記念本の製作者住所、名称が予め記載されている。このように、予め送付先を記載しておくことによって、利用者が送り先を記載する手間を省くと共に、誤記を防止することが可能となる。
【００６９】
また、注文用紙返送用封筒５０の例えば表面下部には、注文用紙と同一の識別番号１９が予め表記されている。これにより、製本者は封筒が送られてきたときから識別番号１９での管理が可能となる。
【００７０】
この識別番号１９には製品種類に関する識別情報（例えば誕生記念アルバム、新入学アルバム、結婚記念アルバム、ペットアルバムなどの申し込みタイプ等）を、記号又は数字（バーコード記載を含む）等で記載しておくことによって、開封することなく申し込みタイプを判断することが可能となるので、製作者側において受注の管理を容易に行える。
【００７１】
この結果、封筒に記載された管理番号を自動読み取り機で読み取り、申し込みタイプ別に封筒を自動で分別して後行程に流すことも可能である。
【００７２】
この注文用紙返送用封筒５０には、少なくとも上記したシール台紙２０を収納した写真収納用の返送袋、図２及び図３に示す注文用紙、図４に示すレイアウト用紙が予め収納された状態で販売される。
【００７３】
本実施の形態例の写真収納用の返送袋を図７を参照して以下に説明する。図７は本実施の形態例の写真収納用の返送袋を示す斜視図である。返送袋４０は、内容物（写真）の色彩や模様等を袋を開封することなく袋の外部から視認可能とするために、ポリエチレン、ポリプロピレン等の光透過性のある材料で形成されている。
【００７４】
そして、本に記載する写真を収納保管するための袋状の保管部分４２と、保管部分に封をするために折り畳んで固定するためののりしろ部分４４とから構成されている。のりしろ部分４４は、接着剤を塗布した粘着面４６を有し、粘着面４６表面には粘着層４６を被覆して粘着性を保護する容易に剥離可能な剥離テープ４８とから構成されている。
【００７５】
以上に説明した本実施の形態例の製本システムの製本プロセスを図８のフローチャートを参照して以下に説明する。図８は本実施の形態例の製本プロセスを説明するためのフローチャートである。
【００７６】
製本業者は、まず図８の「製作者の処理」を実行することになる。まずステップＳ１０１において制御コンピュータ１０は識別番号を決定し、決定した同一の識別番号を注文用紙、シール２２及び注文用紙返送用封筒５０にそれぞれ表記して注文用紙印刷装置２０より印刷出力する。
【００７７】
注文用紙や注文用紙返送用封筒５０への表示は、注文用紙印刷装置２０からの印刷時に行う例に限定されるものではなく、注文用紙印刷装置２０よりの印刷時には識別番号を表記せずにすべて同じフォーマットでの印刷とし、別途識別番号が印刷された識別番号シールを製作して貼着して表記しても良い。
【００７８】
あるいは、後述する注文用紙の入った封筒を購入したときに店舗担当者が封筒、注文用紙、レイアウト例用紙の所定箇所に貼着するように制御してもよい。あるいは、販売店の印刷装置に設置された識別番号印刷装置に封筒、注文用紙、レイアウト例用紙をセットして印刷出力させても良い。
【００７９】
そして、シールの貼着された台紙２０を写真収納用返送袋内に開封状態で収納し、注文用紙とレイアウト用紙を例えば三つ折りしてにして写真収納用返送袋と共に注文用紙返送用封筒５０内に開封状態で収納する。注文用紙とレイアウト用紙を三つ折りにするのは、注文用紙返送用封筒５０を定形封筒とする為である。
【００８０】
そして、この識別番号の異なる多数の注文用紙返送用封筒５０を用意し、ステップＳ１０２に示すように写真店や文房具店、あるいはコンビニエンスストアなどの一般消費者の集まる店舗に陳列する。これをみた消費者の中で注文を希望する人は、例えば店舗に所定の製本料金を支払い、注文用紙返送用封筒５０を持ち帰える。そして、ステップＳ２００以下に示す注文処理を行うことになる。
【００８１】
注文用紙返送用封筒５０はこのような添付への陳列に限るものではなく、この製本プロセスを他の手段で知った消費者からの直接注文も受け付けており、直接注文を受けた場合にはステップＳ１０４に示す「注文発送」処理を行う。製作者は、注文者からの注文を受け、注文者から必要な料金が支払われたことを確認すると、又はクレジット販売を確認すると、発注者のもとへ注文用紙返送用封筒５０を内封した封筒を発送する。そして顧客情報と共にデータベース５０に登録する。
【００８２】
直接注文は、以前に製本を発注したした人からの再度の発注の場合や、口コミでの発注の場合、マスコミを利用した宣伝に応じた場合、インターネット網７００の製本者ホームページ経由の発注の場合などが考えられる。
【００８３】
注文用紙返送用封筒５０を受け取った注文者は、ステップＳ２００以下に示す注文処理を行うことになる。なお、注文用紙返送用封筒５０にの発送時、あるいは注文用紙返送用封筒５０を販売した店舗担当が、注文用紙返送用封筒５０の販売時に識別番号を読み取って製本者に報知することにより、不正使用を未然に防ぐことも可能である。
【００８４】
「注文処理」プロセスにおいて注文者は、まずステップＳ２０１において、「レイアウト見本を元にした写真の選定」の処理を実施する。注文者は、図２及び図３に記載されている注文方法の手順等の内容を把握した上で、図４に示すレイアウト参考用紙中に表記した本中の写真位置を確認してどの頁にどの写真を配置するのかを決定する。
【００８５】
写真は、自己の所有する写真の中から任意に希望する写真を選択することができる。写真の大きさは、サービスサイズなど、注文用紙返送用封筒５０及び写真収納用の返送袋に収納できる大きさが望ましい。これ以上の大きさの写真は原則として遅れないが、自己で識別番号を表記した特別の封筒を用意して送る場合には受け付けることが可能に構成してもよい。
【００８６】
続いてステップＳ２０２において、「シールの貼付け処理」を行う。ここでは、ステップＳ２０１で決定した写真の例えば裏面にそれぞれの記載位置に応じたシールを貼着する。
【００８７】
次にステップＳ２０３にて、「注文用紙への記入処理」を行い、ステップS２０１で選定した写真を参考としながら図２及び図３に示す注文用紙の各桝目を埋める文章創作処理を行う。ここでは、配置個所を決定した写真に関連する文章を桝目に従って記入する。
【００８８】
注文者は、注文用紙に記載したレイアウト見本の順番に従って配置する写真に関連した文章を作成することで、注文者の独創的なストーリー展開を反映した本を作成することが可能となる。
【００８９】
すべての頁において、写真の配置とそれぞれの写真に関連した文章の記入が終了すると、注文準備が整ったため、ステップＳ２０４の処理に移行し、選択した写真を図７に示す視認性のある透明な写真収納用返送袋４０に、シール２２を貼り付けた写真を収納して封緘し、この封緘した返送袋４０と、必要事項を記入した注文用紙とを注文用紙返送用封筒５０に封緘する。
【００９０】
そしてステップＳ２０５で必要な郵便切手を貼るなどして発送する。注文用紙返送用封筒５０には、予め本の製作者のあて先住所などが印刷されており、単に発送するのみで確実に製作者のところに発送される。
【００９１】
この注文用紙返送用封筒５０を受け取った本製作者は図９に示す製本プロセスを実行することになる。また、注文者の手元には識別番号の表記されたレイアウト用紙が残されるため、この識別番号を告知することで、製本者に問い合わせたり各種確認を行うことができる。
【００９２】
次に、製本者による製本プロセスについて図９を参照して説明する。図９は本実施の形態例の製本者の製本処理を説明するためのフローチャートである。製本者は、図８のステップＳ２０５に示す注文者より発送された注文用紙、写真などの方入された注文封筒受け取ると、図９にステップＳ３００で示す製本処理に移行する。
【００９３】
まずステップＳ３０１で、受け取った注文封筒に表記されている識別番号を例えば原稿読取装置３０から読み込み、顧客ファイルを作成する。直接注文の顧客などで識別番号に対応した顧客ファイルを作成している場合には注文用封筒の受領のみを登録する。
【００９４】
次にステップＳ３０３で受け取った注文封筒を開封し、中から写真（画像）を取り出す。そして例えば原稿読み取り装置３０にセットして写真裏面の写真表示位置情報と識別便号の表示されているシール情報を読み込み、引き続いて写真画像を読み込む。原稿読み取り装置３０を原稿の両面読み取り可能に構成した場合には同時に読み込む様に構成しても良い。
【００９５】
本実施の形態例では、シール読み取り情報と読み取り画像を対で登録する。これにより、読み取った画像がどの場所の写真家を確実に確認しながら編集することができる。
【００９６】
続いてステップＳ３０５で注文用紙を例えば原稿読み取り装置３０にセットして画像情報として読み取る。そして例えば、読み取った注文用紙の升目部分に書かれた手書き文字を手書き文字認識プログラムにより文字認識し、読み取り画像と文字認識結果とを関連付けて登録する。
【００９７】
なお、文章の入力を手書き文字認識プログラムを用いて行うのではなく、注文用紙を目視確認しながらキーボードから入力してもよい。この場合であっても、ステップＳ３０７における編集処理で読み取り画像と入力結果とを見比べることができ、仮に入力ミスがあっても容易に発見して修正することができる。
【００９８】
次にステップＳ３０７において、編集処理を行う。編集処理では、ステップＳ３０５で読み込んだ手書き文字部分の認識結果、あるいはキーボードなどから入力した入力文書を読み込み画像と比較して確認し、認識誤りがあれば修正する。
【００９９】
そして本の表紙部分から順次提供された画像情報のトリミングを行うと共に、確認した注文者作成文章を予め割り当てられたレイアウトに従って編集し、画像と文章位置調整を行い、製本時の頁毎の印刷状態を表示画面を確認しながら決定していく。
【０１００】
なお、画像についてはシールと一体で表示することにより、画像を他の場所の画像と取り違えることがないように制御されている。同じく挿入文書も注文用紙と共に表示することにより、送られてきた文書を異なる場所に印刷してしまうミスを未然に防ぐことができる。
【０１０１】
このようにしてすべての頁についての編集が終了すると製本のための版下ができたことになるため、完成した版下を識別番号と共に例えばデータベース５０に登録する。これにより後日の増刷依頼などにも容易に対応できる。
【０１０２】
版下の登録が終了するとステップＳ３１１の製本処理に移行する。製本処理では、例えば印刷装置８０から製本用紙を印刷出力する。製本用紙は、製本したときに印刷結果が正しく頁順になるレイアウトで印刷出力される。そして、この製本用紙を製本装置１００に「セットして製本を行う。
【０１０３】
製本装置１００で製本した本は、製本ミスなどがないかを最終チェックしてステップＳ３１３の発送処理に移行する。ステップＳ３１３の発送処理では、例えば専用の送本用の封筒あるいは梱包袋に注文用紙の住所欄が外部から視認可能なように収納して封入する。あるいは、住所欄を複写してあて名表示として表示する。そして宅配便あるいは郵便で発送する。
【０１０４】
本の発注者は、ステップＳ３１５で世界でただ一つの自分だけの本を手に入れることができる。
【０１０５】
以上の説明は１冊の本を制作する場合を例として説明したが、本を複数制作する場合には、編集装置４０での編集により版下が作成でき、例えば制御コンピュータ１０あるいはデータベース５０に登録することにより、２冊目以降は単に版下を読み出してきて印刷装置８０から印刷出力し、製本装置１００で製本するのみで対応できる。
【０１０６】
この場合には２冊目以降の本制作料金を割り引くことができる。更に、後日であっても識別番号と共に増刷依頼をすることができ、容易に増刷できる。
【図面の簡単な説明】
【０１０７】
【図１】本発明に係る一発明の実施の形態例の製本業者が備える製本システムの構成を示すブロック図である。
【図２】本発明に係る一発明の実施の形態例の記念本製作用の注文用紙の表面の一例を示す図である。
【０１０８】
【図３】本実施の形態例の記念本製作用の注文用紙の裏面の一例を示す図である。
【図４】本実施の形態例の記念本製作用のレイアウト参考用紙を示す図である。
【０１０９】
【図５】本実施の写真貼付用シールを説明するための図である。
【図６】本実施の形態例の写真収納袋の一例を示す斜視図である。
【図７】本実施の形態例の申込み用封筒の例を示す斜視図である。
【０１１０】
【図８】本実施の形態例の製本プロセスを説明するためのフローチャートである。
【図９】本実施の形態例の製本者の製本処理を説明するためのフローチャートである。
【符号の説明】
【０１１１】
１０    制御コンピュータ
２０    注文用紙印刷装置
３０    原稿読取装置
４０    編集装置
５０    データベース
６０    回線制御部
７０    インタフェース制御部
８０    印刷装置
１００    製本装置
６００    公衆電話回線網
７００    インターネット網
【図１】
2005284866.tif 000003
【図２】
2005284866.tif 000004
【図３】
2005284866.tif 000005
【図４】
2005284866.tif 000006
【図５】
2005284866.tif 000007
【図６】
2005284866.tif 000008
【図７】
2005284866.tif 000009
【図８】
2005284866.tif 000010
【図９】
2005284866.tif 000011